(57)【特許請求の範囲】
【請求項１】
内燃機関の排気ガス帰還管路を通るガス流量の誤りのある変化を補正する方法において、
−第１の方法により前記排気ガス帰還管路を通る第１の流量（ｍｓａｇｒ）を弁位置（ｈａｇｒ）及び排気ガス帰還弁（５）の流量特性曲線に依存して導出し、
−第２の方法により前記排気ガス帰還管路（４）を通る第２の流量（ｍｓａｇｒｍ）を吸入管路（３）内の新鮮空気流量（ｍｓ）及び吸入管圧（ｐｓ）とから導出し、
−前記両方法により求められた前記第１および第２の流量（ｍｓａｇｒ，ｍｓａｇｒｍ）間の偏差（ｄｍｓ）を検出し、
−前記第１および第２の流量（ｍｓａｇｒ，ｍｓａｇｒｍ）間の前記偏差（ｄｍｓ）から、前記弁位置（ｈａｇｒ）及び前記流量特性曲線に依存して導出された前記第１の流量（ｍｓａｇｒ）の複数の補正量（ｏｆｍｓａｇｒ，ｆｋｍｓａｇｒ，ｄｐｂ）を形成し、
前記複数の補正量は、以下の補正量：
（ａ）流量特性曲線用のオフセット（ｏｆｍｓａｇｒ）、
（ｂ）流量特性曲線の勾配を変えるファクタ（ｆｋｍｓａｇｒ）、および、
（ｃ）排気ガス帰還弁（５）の前側で測定された排気ガス圧（ｐｖａｇｒ）を低減させる値（ｄｐｂ）を含み、
−前記補正量（ｏｆｍｓａｇｒ，ｆｋｍｓａｇｒ，ｄｐｂ）の選択は、前記第２の流量（ｍｓａｇｒｍ）の大きさに依存しており、
前記第２の流量（ｍｓａｇｒｍ）の第１の大きさの補正においては、流量特性曲線用のオフセットに作用する補正量（ｏｆｍｓａｇｒ）が選択され、
前記第１の大きさより大きい前記第２の流量（ｍｓａｇｒｍ）の第２の大きさの補正においては、流量特性曲線の勾配を変える補正量（ｆｋｍｓａｇｒ）が選択され、
前記第２の大きさより大きい前記第２の流量（ｍｓａｇｒｍ）の第３の大きさの補正においては、前記排気ガス帰還弁（５）の前側で測定された排気ガス圧（ｐｖａｇｒ）を低減させる補正量（ｄｐｂ）が選択される、
ことを特徴とする方法。
【請求項２】
前記低減させる値は、第１の方法により求められた前記第１の流量（ｍｓａｇｒ）の２乗と、前記第１および第２の流量（ｍｓａｇｒ，ｍｓａｇｒｍ）間の偏差（ｄｍｓ）との積である請求項１記載の方法。
【請求項３】
前記補正量（ｏｆｍｓａｇｒ，ｆｋｍｓａｇｒ，ｄｐｂ）の形成のために、前記第１及び第２の流量（ｍｓａｇｒ，ｍｓａｇｒｍ）間の偏差を積分する請求項１または２記載の方法。
【請求項４】
前記第１および第２の流量（ｍｓａｇｒ，ｍｓａｇｒｍ）間の偏差（ｄｍｓ）が所定閾値を超過した場合、前記排気ガス帰還管路の誤りを示す信号（ｆｅ）が送信される請求項１記載の方法。
【発明の詳細な説明】
【０００１】
【発明の属する技術分野】
本発明は、内燃機関の排気ガス帰還管路を通るガス流量の誤りのある変化を補正する方法に関する。
【０００２】
【従来の技術】
排気ガス帰還の際、内燃機関の空気−燃料混合気に排気ガスが付加混合される。所定の程度まで、空気−燃料混合気内の上昇した残留ガス成分が、エネルギ変換、従って、燃費にも積極的に作用する。残留ガス成分の上昇によって、エンジンが加速される(entdrosselt)ことがある。そうすることによって、負荷交換損失が低下し、効率が上昇することがある。更に、残留成分の上昇により、燃焼過程のピーク温度が下がり、その結果、排気ガス中に酸化窒素が形成されるのが低減される。排気ガス中に放出される酸化窒素が上昇すると、ガソリンを直接噴射するオットーエンジンの場合、空燃比λ＞１での層状になった（ｇｅｓｃｈｉｃｈｔｅｔｅｎ）エンジン駆動状態となる。それを防ぐために、ガソリン直接噴射エンジンで、排気ガス帰還は行えない。ここで、排気ガス帰還について説明すると、排気ガス帰還というのは、エンジンの排気ガスラインから取り出されて、排気ガス帰還管路内の排気ガス帰還弁を介してエンジンに再度調量されて供給される排気ガス帰還のことである。
【０００３】
排気ガス帰還時に、排気ガスから固体が蓄積されることにより、時間が経過するうちに、排気ガス帰還弁及び帰還管路が塞がれてしまうことがあり、そのために、内燃機関の運転時間が増大するにつれて、帰還される排気ガス量が低減することを回避することができない。この理由から、内燃機関の排気ガス帰還系の機能を監視して、そのような誤りのある、排気ガス管路を通るガス流量の変化を補償する手段を用いる必要がある。ドイツ連邦共和国特許公開第１９７１９２７８号公報からは、排気ガス帰還管路を通るガス流量の誤りのある変化を検出することができる方法が公知である。その際、λ制御係数が、スイッチングオンオフされた排気ガス帰還時に形成されて、両制御係数間の差が所定限界値と正及び負の偏差に関して比較される。λ制御係数の差によって限界値が超過された際、排気ガス帰還の誤りがシグナリングされる。この従来技術によると、スイッチングオンオフされた排気ガス帰還時のλ制御係数間の偏差を、例えば、燃料噴射時間用の補正量として使用するようにして、排気ガス帰還の誤りを防止するようにされる。
【０００４】
【発明が解決しようとする課題】
本発明の課題は、排気ガス帰還管路を通るガス流量の変化を診断して、補償することができる方法を提供することである。
【０００５】
【課題を解決するための手段】
本発明によると、第１の方法により排気ガス帰還路を通る第１の流量を弁位置及び排気ガス帰還弁の流量特性曲線とに依存して導出し、第２の方法により排気ガス帰還路を通る第２の流量を排気ガス管路内の新鮮空気流量及び吸入管圧とから導出し、両方法により求められた両流量間の偏差を検出し、両流量間の偏差から、弁位置及び流量特性曲線とに依存して導出された第１の流量の１つ又は複数の補正量を形成するにより解決される。
【０００６】
【発明の実施の形態】
有利な実施例は、従属請求項に記載されている。
【０００７】
流量の補正量として、例えば、流量特性曲線用のオフセット、又は、流量特性曲線の勾配を変える係数が関係する。それ以外の有利な補正量は、排気ガス帰還弁の前で測定された、小さな値の排気ガス圧であり、この値は、第１の方法により求められた流量の２乗と、両流量間の偏差との積である。前述の補正量の選択は、流量の大きさに依存しており、その際、流量が比較的少ない場合のオフセットは、勾配の変化として補正のために使用され、流量が比較的多い場合の排気ガス圧の低減は、勾配の変化として使用される。
【０００８】
両方式により検出された流量間の偏差が所定限界値を超過した場合に、排気ガス帰還の誤りがシグナリングされるようにすると目的に適っている。
【０００９】
本発明の手段により、排気ガス帰還の誤り時に、排気ガス帰還弁の制御に直接作用する補正量が形成される。それに対して、従来技術（ドイツ連邦共和国特許公開第１９７１９２７８号公報）では、排気ガス帰還系の誤りが検出された場合に、エンジンの他の作動量、即ち、負荷信号及び点火が補正され、つまり、排気ガス帰還系、本来の誤り源に直接関わってはいない。
【００１０】
【実施例】
以下、本発明について図示の実施例を用いて詳細に説明する。
【００１１】
図１には、排気ガスチャネル２と吸入管３を有する内燃機関１が図示されている。排気ガスチャネル２から、排気ガス帰還管４が分岐しており、この排気ガス帰還管は、吸入管３に結合されている。排気ガス帰還管４内には、弁５が設けられている。この排気ガス帰還弁５を介して、帰還された排気ガス量を制御することができる。排気ガス帰還管４の結合部の後ろ側で、吸入管３内に、圧力センサ６が設けられており、この圧力センサは、吸入管圧ｐｓを測定する。排気ガス帰還管４の結合部の前に、スロットル弁７が設けられており、スロットル弁７の前に、吸入管３内に、空気流量センサ８が設けられており、この空気流量センサは、吸い込まれる新鮮な空気流量ｍｓを測定する。排気ガス帰還管４内に、排気ガス帰還弁５の前に、圧力センサ９と温度センサ１０とが設けられており、この圧力センサ９は、排気ガス帰還弁５の前の排気ガス圧ｐｖａｇｒを測定し、温度センサ１０は、排ガスの温度Ｔａｇｒを検出する。吸入管内の新鮮な空気流量ｍｓ及び吸入管圧ｐｓは、モデル計算によってもエンジンの他の作動量から導出することができる。
【００１２】
制御装置１１には、上述のセンシングされた量の全てが供給される。それには、吸入管圧ｐｓ、新鮮な空気流量ｍｓ、排気ガス温度Ｔａｇｒ、排気ガス帰還弁５の前の排気ガス圧ｐｖａｇｒ及び排気ガス帰還弁５の位置ｈａｇｒが属する。制御装置１１が、前述の各量から、排気ガス帰還管４を通って流れるガス流量の誤りのある変化を検出して補償するやり方について、以下図２に示した機能図を用いて説明する。
【００１３】
例えば、弁５内及び管４内の排気ガスからの固体物質の堆積によって、又は、製造偏差又は弁のエージングによる流量の変化によって生じる、排気ガス帰還管４を通って流れるガス流量の誤りのある変化を検出して補償するために、種々異なる２つの方法により、排気ガス帰還管４を通って流れる空気流量が求められる。
【００１４】
第１の方法により、排気ガス帰還管４を通って流れる流量ｍｓａｇｒが、以下の式（１）によって算出される：
ｍｓａｇｒ＝（ＭＳＮＡＧＲ−ｏｆｍｓａｇｒ）＊ｆｔａｇｒ＊ｐｖａｇｒ／１０１３  ｈＰａ＊ｆｋｍｓａｇｒ＊ＫＬＡＦ              （１）
式（１）による流量ｍｓａｇｒの算出は、図２の機能図から分かる。先ず、排気ガス帰還弁５の弁特性曲線ＶＫＬから導出された規定流量ＭＳＮＡＧＲが、各々の弁位置ｈａｇｒに依存して求められる。この規定流量ＭＳＮＡＧＲから、結合点Ｖ１で、オフセットｏｆｍｓａｇｒが減算される。規定流量ＭＳＮＡＧＲとオフセットｏｆｍｓａｇｒとの差が、結合点Ｖ２，Ｖ３，Ｖ４及びＶ５で、複数の係数と乗算される。結合点Ｖ２での第１の係数は、温度値ｆｔａｇｒであり、以下の式が成立する：
【００１５】
【数１】
0005064620.tif 000002
【００１６】
この温度値は、つまり、式（２）から分かるように、実際のガス温度Ｔａｇｒに対する２７３Ｋの規定温度の温度比である。
【００１７】
結合点Ｖ３での係数は、結合点Ｖ７で形成された、排気ガス帰還弁５の前で測定された排気ガス圧ｐｖａｇｒと規定排気ガス圧１０１３ｈＰａとの比である。１０１３ｈＰａの規定排気ガス圧では、規定流量ＭＳＮＡＧＲが形成され、この規定流量は、正確に、排気ガス帰還弁５の流量特性曲線に相応し、この排気ガス帰還弁の流量特性曲線は、通常のように、弁製造業者によって利用されていて、機能ブロックＶＫＬ内に記憶されている。この流量特性曲線は、当然、排気ガス帰還弁５の機能だけを考慮し、製造偏差又はエージングによってのみ生じるが、その他の、排気ガス帰還弁５を介して流れる流量の変化によっては生じない。各規定条件の偏差を示していて、式（１）により算出された流量ｍｓａｇｒでの、その種の誤りのある変化を考慮するために、一方では、オフセット値ｏｆｍｓａｇｒが、他方では、結合点４に印加された補正項ｆｋｍｓａｇｒが設けられる。補正係数ｆｋｍｓａｇｒは、流量特性曲線の勾配に作用する。
【００１８】
最後に、結合点５に更に特性曲線ＫＬから取り出された値ＫＬＡＦが印加される。この値ＫＬＡＦは、排気ガス帰還弁５を介して流れる流速を、スイッチング速度と関連付けて示してある。除算器ＤＶによって、吸入管圧ｐｓと排気ガス圧帰還弁５の前の排気ガス圧ｐｖａｇｒとの比が形成され、この比に依存して、特性曲線ＫＬから係数ＫＬＡＦが取り出される。吸入管圧ｐｓと、排気ガス圧ｐｖａｇｒとの比が０．５２よりも小さい場合、音速が調整され、０．５２よりも大きい比の場合、流速は音速以下に低下する。結合部Ｖ５の出力側からは、結局、流量ｍｓａｇｒが取り出される。
【００１９】
第２の方法によると、流量ｍｓａｇｒｍは、新鮮な空気流量ｍｓと吸入管圧ｐｓとから導出される。新鮮な空気流量ｍｓは、例えば、ホットフィルム式エアマスセンサーを用いて測定することができる。新鮮な空気流量ｍｓを、エンジン回転数ｎｍｏｔ及び定数ＫＵＭＳＲＬで除算することによって、これは、式（３）により、燃焼室内の空気充填量ｒｌに換算される。
【００２０】
ｒｌ＝ｍｓ／（ｎｍｏｔ＊ＫＵＭＳＲＬ）                        （３）
入り口弁が閉じられる時点では、燃焼室と吸入管とで圧力が同一である。入り口弁が閉じられている場合に温度全体を考慮する係数ｆｕｐｓｒｌを介して、燃焼室圧ｐｓは、式（４）により、相対的な全充填度ｒｆに換算される。
【００２１】
ｒｆ＝ｐｓ＊ｆｕｐｓｒｌ                                      （４）
相対的な全充填度ｒｆは、式（５）により、燃焼室内の相対空気充填度ｒｌ、アプリケーションが検出している間燃焼室内に残存している残留充填度ｒｆｒｉｎｔ及び排気ガス帰還系を介して供給される外部残留ガス充填度ｒｆｒｅｘｔから合成される。
【００２２】
ｒｆ＝ｒｌ＋ｒｆｒｉｎｔ＋ｒｆｒｅｘ                          （５）
排気ガス帰還によって形成される外部残留ガス充填度ｒｆｒｅｘは、式（５）から得られる：
ｒｆｒｅｘ＝ｒｆ−ｒｌ−ｒｆｒｉｎｔ                          （６）
式（７）によると、外部残留ガス充填度ｒｆｒｅｘと回転数ｎｍｏｔと定数ＫＵＭＳＲＬとの乗算による流量ｍｓａｇｒｍが得られる。
【００２３】
ｍｓａｇｒｍ＝ｒｆｒｅｘ＊ｎｍｏｔ＊ＫＵＭＳＲＬ              （７）
流量ｍｓａｇｒｍは、他のやり方でも前述のようにして求めることができる。
【００２４】
結合点Ｖ６では、予め算出された両流量ｍｓａｇｒとｍｓａｇｒｍとの偏差ｄｍｓが求められる。両流量ｍｓａｇｒとｍｓａｇｒｍとの偏差ｄｍｓから、１つ又は複数の補正量ｏｆｍｓａｇｒ、ｆｋｍｓａｇｒ、ｄｐｂが、弁位置ｈａｇｒと流量特性曲線ＶＫＬとに依存して導出された流量ｍｓａｇｒに対して形成される。両流量ｍｓａｇｒとｍｓａｇｒｍとの偏差ｄｍｓに依存して各補正量のどれが変えられるかは、流量ｍｓａｇｒｍの大きさに依存する。そのために、スイッチＳＷが設けられており、このスイッチは、前述の補正量の各々に対して切り換え位置１，２，３を有している。スイッチＳＷでの切り換え位置は、流量ｍｓａｇｒｍの大きさにより制御される。流量ｍｓａｇｒｍが僅かしか生じていない場合、スイッチＳＷは、切り換え位置１にされ、算出された両流量ｍｓａｇｒとｍｓａｇｒｍとの偏差ｄｍｓは、第１の積分器Ｉ１を介して流量特性曲線ＶＫＬのオフセットに作用する補正量ｏｆｍｓａｇｒに変換される。流量ｍｓａｇｒｍが比較的高い値に達すると、スイッチＳＷは、切り換え位置２にされ、その結果、両流量ｍｓａｇｒとｍｓａｇｒｍとの偏差ｄｍｓは、第２の積分器Ｉ２を介して補正量ｆｋｍｓａｇｒに変換され、この補正量は、流量特性曲線の勾配を変える。
【００２５】
先行する前述の両補正量ｏｆｍｓｇｒ及びｆｋｍｓａｇｒを用いて、ガス流量の誤りのある変化を補償できない程度に大きな流量ｍｓａｇｒｍの場合、スイッチＳＷは、その切り換え位置３にされる。この場合、算出された両流量ｍｓａｇｒ及びｍｓａｇｒｍとの偏差は、第３の積分器Ｉ３に供給され、この第３の積分器は、偏差ｄｍｓから係数Ｋを形成する。この係数Ｋは、結合点Ｖ８で、２乗器ＱＵによって形成された、算出された流量ｍｓａｇｒの２乗ｍｓａｇｒ２と乗算される。係数Ｋと、流量ｍｓａｇｒの２乗との積の結果は、補正量ｄｐｂであり、この補正量は、結合点Ｖ９で、測定された排気ガス圧ｐｖａｇｒから減算される。補正量ｄｐｂを用いて、弁５又は管路４の汚れに基づく流量特性曲線の非常に強い変形を補償することができ、これは、オフセット補正ｏｆｍｓａｇｒ及び勾配補正ｆｋｍｓａｇｒによっては最早可能でない。そのような汚れは、排気ガス帰還弁５の前の付加的な絞りを用いることによってシミュレートすることができる。このフィクティブな絞りに基づいて、排気ガス帰還弁５の前の排気ガス圧ｐｖａｇｒは、既述の値ｄｐｂだけ低下する。この量ｄｐｂの係数Ｋは、排気ガス帰還管路４内のフィクティブな絞りの直径の尺度である。補正値ｄｐｂだけ低減した排気ガス圧ｐｖａｇｒは、係数として結合部Ｖ３に供給され、係数ＫＬＡＦの形成の際にも考慮される。
【００２６】
補正量ｄｐｂの形成のために、測定された流量ｍｓａｇｒ及びｍｓａｇｒｍとの偏差ｄｍｓから導出された係数Ｋにより、限界値判定ＳＥが行なわれる。この係数Ｋが所定の限界を超過すると（つまり、弁５乃至排気ガス帰還管４の汚れが大き過ぎるのと同じ意味である）、誤り信号ｆｅが送出され、排気ガス帰還系の誤りがシグナリングされ、この誤りは、上述のやり方では最早補償することができない。
【００２７】
内燃機関の排気ガス帰還管路を通るガス流量の変化を診断して補正する必要がある。そのために、第１の方法により排気ガス帰還路（４）を通る第１の流量（ｍｓａｇｒ）を弁位置（ｈｇｒ）及び排気ガス帰還弁（５）の流量特性曲線とに依存して導出し、第２の方法により第２の流量（ｍｓａｇｒｍ）を吸入管内の新鮮空気流量（ｍｓ）及び吸入管圧（ｐｓ）とから導出する。それから、両方法により求められた両流量（ｍｓａｇｒ，ｍｓａｇｒｍ）間の偏差（ｄｍｓ）が検出され、偏差（ｄｍｓ）から、弁位置（ｈａｇｒ）及び流量特性曲線とに依存して導出された第１の流量（ｍｓａｇｒ）の１つ又は複数の補正量（ｏｆｍｓａｇｒ，ｆｋｍｓａｇｒ，ｄｐｂ）が形成される。
【００２８】
【発明の効果】
本発明の方法によると、法規通りに設定された排気ガス限界値を保持することができない極めて小さな排気ガス帰還レートを確実に検出することができる。更に、検出されたガス流量の変化を、排気ガス帰還管路を介して流れる流量を算出する際に補正して考慮することができる手段が提供される。この補正された流量により、エンジン制御を、排気ガス限界値を超過しないように行うことができる。
【図面の簡単な説明】
【図１】排気ガス帰還を行う内燃機関の略図
【図２】排気ガス帰還管路を通るガス流量の誤りのある変化の補償のための機能図
【符号の説明】
１  内燃機関
２  排気ガスチャネル
３  吸入管
４  排気ガス帰還管
５  弁
６  圧力センサ
７  スロットル弁
８  空気流量センサ
９  圧力センサ
１０  温度センサ
１１  制御装置
【図１】
0005064620.tif 000003
【図２】
0005064620.tif 000004